(57)【要約】【課題】  外出先であっても簡単に利用することができる携帯型情報処理装置を提供する。【解決手段】  ユーザの操作に応じて第１種類及びこの第１種類と異なる第２種類の信号を出力する操作部９と、この操作部９から出力された出力信号が上記第１種類の信号の場合に第１状態に遷移する動作を行うと共に、上記出力信号が上記第２種類の信号の場合に上記第１状態と異なる第２状態に遷移する動作を行う発呼処理部２５と、この発呼処理部２５を覆い、上記操作部９の一部を外部に露出させる携帯用外装筐体３とを備え、この携帯用外装筐体３は、外部に露出する位置に、上記操作部の操作を補助する情報をユーザが筆記具で書き込むメモ用シート部材１５を有している携帯電話機である。【選択図】  図２
2007103993.tif 000002
【特許請求の範囲】
【請求項１】
ユーザの操作に応じて第１種類及びこの第１種類と異なる第２種類の信号を出力する操作部と、
この操作部から出力された出力信号が上記第１種類の信号の場合に第１状態に遷移する動作を行うと共に、上記出力信号が上記第２種類の信号の場合に上記第１状態と異なる第２状態に遷移する動作を行う動作部と、
この動作部を覆い、上記操作部の一部を外部に露出させる携帯用外装筐体とを備え、
この携帯用外装筐体は、外部に露出する位置に、上記操作部の操作を補助する情報をユーザが筆記具で書き込む書き込み部を有していることを特徴とする携帯型情報処理装置。
【請求項２】
書き込み部は、
この書き込み部以外の携帯用外装筐体の部分である本体部に対して移動可能に構成され、
上記書き込み部の移動に応じて、上記書き込み部が上記本体部に覆われることを特徴とする請求項１記載の携帯型情報処理装置。
【請求項３】
動作部は、
操作部から出力された出力信号が第１種類の場合に第１の通信端末に対して発呼処理を行い、上記出力信号が第２種類の場合に上記第１の通信端末と異なる第２の通信端末に対して発呼処理を行う発呼処理部であることを特徴とする請求項１又は２記載の携帯型情報処理装置。
【請求項４】
操作部からの出力信号に応じた信号を表示する表示部を備え、
この表示部の表示が行われる面と書き込み部の書き込み用の面とが、同一方向に露出していることを特徴とする請求項３記載の携帯型情報処理装置。
【請求項５】
書き込み部は、
書き込み部の移動に応じて表示部に近づくことを特徴とする請求項３記載の携帯型情報処理装置。
【発明の詳細な説明】
【技術分野】
【０００１】
この発明は、携帯型情報処理装置に関し、特に携帯型情報処理装置の利用を簡単にするものに関する。
【背景技術】
【０００２】
近年、携帯型情報処理装置の性能が向上することによって、携帯型情報処理装置に種々の機能を搭載することができるようになってきている。その結果、携帯型情報処理装置には、ユーザが入力した情報を蓄積し、蓄積した情報を携帯機器の表示装置から表示することができる装置が存在しており、このような装置として、下記特許文献１に記載された携帯電話機があった。
【０００３】
この携帯電話機は、ユーザがテンキーから入力した情報を携帯電話機内部のメモリに保存することができると共に、テンキーからの入力に応じて表示部に表示される画像が表示制御部によって制御される。そして、画像表示部に電話番号を表示した状態で、携帯電話機を構成する上部筐体と下部筐体とをスライドさせると、その電話番号の接続先に向かって発呼するものである。
このような構成の携帯電話機は、ユーザが入力した他人の電話番号を記憶することができ、テンキーの操作によってその電話番号が表示部に表示される。従って、過去に蓄積した情報に基づいて携帯電話機を動作させることが可能になる。
【０００４】
【特許文献１】特開２００３ー２８９３４８号公報
【発明の開示】
【発明が解決しようとする課題】
【０００５】
しかし、上記の携帯電話機で入力した情報を閲覧するためには、テンキー等を操作する必要があった。そのため、携帯電話機の操作が複雑になると、ユーザは短時間のうちに操作方法を思い出すことができない場合がある。その結果、ユーザが入力した情報を閲覧することをあきらめてしまい、ユーザが予め携帯電話機に記憶させていた連絡先に電話をかけることができないことが生じる。
【０００６】
この発明は、所望の情報を予め十分に書き込むことができるようにすることで、所望の情報を簡単に閲覧できるようにし、その情報を基づいて、外出先であっても簡単に利用することができる携帯型情報処理装置を提供することを目的にする。
【課題を解決するための手段】
【０００７】
この発明は、ユーザの操作に応じて第１種類及びこの第１種類と異なる第２種類の信号を出力する操作部と、この操作部から出力された出力信号が上記第１種類の信号の場合に第１状態に遷移する動作を行うと共に、上記出力信号が上記第２種類の信号の場合に上記第１状態と異なる第２状態に遷移する動作を行う動作部と、この動作部を覆い、上記操作部の一部を外部に露出させる携帯用外装筐体とを備え、この携帯用外装筐体は、外部に露出する位置に、上記操作部の操作を補助する情報をユーザが筆記具で書き込む書き込み部を有している携帯型情報処理装置である。
【発明の効果】
【０００８】
この発明は、ユーザが操作部を利用しなくても書き込み部に書き込まれた操作を補助する情報を見ることができるので、外出先で携帯型情報処理装置の使用方法が分からなくなった場合であっても、予め用意した情報を確認することができ、その確認した情報に基づいて携帯型情報処理装置を動作させることが可能になる。
【発明を実施するための最良の形態】
【０００９】
実施の形態１．
この発明の実施の形態１に係る携帯型情報処理装置である携帯電話機について、図１〜４に基づいて説明する。
【００１０】
図１は、実施の形態１に係る携帯電話機の構成を示す斜視図である。
【００１１】
図２は、実施の形態１に係る携帯電話機の構成を、図１と異なる状態で示す斜視図である。
【００１２】
図１及び２に基づいて、実施の形態１に係る携帯電話機の構成を説明する。
【００１３】
図１において、携帯電話機（携帯型情報処理装置）１の外装筐体である携帯用外装筐体は、本体部３と、この本体部３に対してスライド自在に取り付けられた、メモ用シート部材１５（書き込み部）付きの可動部材５とからなる。
【００１４】
本体部３は、ＰＣ／ＡＢＳ（ポリカＡＢＳ）樹脂で形成され、表面にＵＶ（Ultra  Violet）硬化型の塗料が塗布され、ハードコートされている。また、本体部３には、複数の開口が形成され、これら開口に対応する位置に、ＬＣＤ（Liquid  Crystal  Display）（表示部）７、操作部９の一部が露出して配置されている。また、操作部９は、テンキー１０、カーソル移動用キー１３、機能キー１４から構成される。また、テンキー１０は、後述するキーラバー１１とスイッチ素子１２とから構成される。また、カーソル移動用キー１３は、ボタン部材とスイッチ素子とからなるが、その詳しい構成はテンキー１０と同様であるので説明を省略する。また、機能キー１４についても同様に詳細な説明を省略する。
【００１５】
可動部材５は、ＡＢＳ樹脂で形成され、本体部３よりもやわらかい材質に形成されている。そのため、本体部３に対して可動部材５を移動させたとしても、本体部３が傷つかないように形成されている。
【００１６】
メモ用シート部材１５は、ポリエステルからなるシート部材であり、種々の筆記具で字等を記載することが可能であるが、特に、鉛筆、ボールペン、油性マジック等による記載を良好に行うことができる。なお、メモ用シート部材１５が貼り付けられる可動部材５は、携帯用外装筐体の一部であるため美観が重要視される。そのため、可動部材５を透過性を有する部材とすることがある。この場合、メモ用シート部材１５は、メモ用シート部材１５を裏面から見た場合にメモ用シート部材１５に記載されている文字等が透過しないように材料を選定することが望ましい。周囲に個人情報が見られることを抑制できると共に、美観を維持することができるからである。
【００１７】
また、メモ用シート部材１５は、数人の名前と電話番号を記載することができる大きさに形成されている。このメモ用シート部材１５は、４名の名前と電話番号を記載することができる。
【００１８】
メモ用シート部材１５と可動部材５とは、メモ用シート部材１５の表面に塗布された接着材によって接着している。
また、メモ用シート部材１５は、可動部材５の表面のうち、本体部３と対向する位置に貼り付けられている。また、メモ用シート部材１５を貼付する位置は、予め窪んだ窪み部８が形成されており、可動部材５に貼付されたメモ用シート部材１５が周囲から突出しないようになっている。そのため、シート用部材１５がはがれ難い構成となっている。
【００１９】
また、この実施の形態の窪み部８は、メモ用シート部材１５の寸法と略同じの寸法にしておくことによって、さらに簡単にシート用部材１５が可動部材５から剥がれ難くしている。
【００２０】
図３は、携帯電話機１の構成を模式的に示す断面図である。この断面は、図１におけるＡ−Ａ線に従って携帯電話機１を切断した図であり、切断面以外の構成は省略している。
【００２１】
携帯用外装筐体の本体部３は、前面側筐体部分３１と、背面側筐体部分３２とからなる。
携帯電話機１の内部構成は、前面側筐体部分３１の内壁に突出して形成された突出部（図示せず）と背面側筐体部分３２に突出して形成された突出部（図示せず）に挟まれてプリント配線板１９が保持されており、プリント配線板１９に、ＬＣＤ７、スイッチ素子１２、主制御部２３、発呼処理部２５が電気的に接続されている。以上のように、スイッチ素子１２、主制御部２３、発呼処理部２５が本体部３に覆われて保護されている。
また、スイッチ素子１２の上部にはキーラバー１１が配置されており、キーラバー１１が押下されることによって、キーラバー１１の一部がスイッチ素子１２を押圧する。スイッチ素子１１が押圧されるとスイッチ素子１１から信号が出力され、プリント配線板１９内の配線（図示せず）、主制御部２３又は発呼処理部２５に信号が入力される。
【００２２】
また、携帯用外装筐体の本体部３の一部である背面側筐体部分３２に設けられた係合用溝に、コの字形状が対称に連ねられた断面の可動部材５がスライド自在に係合している。
【００２３】
携帯電話機１の変形動作を図１及び図２に基づいて説明する。
【００２４】
携帯電話機１の可動部材５が本体部３に大きく重なっている図１の状態では、可動部材５に貼付されているメモ用シート部材１５が表面に露出しない状態となっている。
【００２５】
また、携帯用外装筐体の可動部材５を本体部３に対してスライドさせた図３の状態では、可動部材５に貼付されているメモ用シート部材１５が表面に露出した状態となっている。また、メモ用シート部材１５は、ＬＣＤ７が露出する方向と同一方向に露出しているため、ユーザは、ＬＣＤ７に表示される画像と、メモ用シート部材１５とを一度に眺めることができる。また、ＬＣＤ７及びメモ用シート部材１５に加えて、操作部９も同一方向に露出しているため、ユーザがＬＣＤ７、メモ用シート部材１５及び操作部９を同時に眺めることができるので、ユーザにとって操作性がさらに良い。
【００２６】
図４は、携帯電話機１の内部動作を示すブロック図である。
【００２７】
操作部９がユーザに操作されることにより、テンキー１０、カーソル移動用キー１３、機能キー１４に各々対応するスイッチ素子が信号を出力し、様々な信号が主制御部２３に入力される。各種の信号が入力された主制御部２３は、入力信号の組み合わせに応じて、ＬＣＤ７に表示される画像を制御し、発呼処理部２５の動作を制御し、又、メモリ（図示せず）に電話番号を書き込んだり読み出したりする。なお、入力信号の組み合わせが適切に行われないと、所望の通信端末に発呼処理部２５が発呼しない。また、入力信号の組み合わせが適切に行われないと、メモリ（図示せず）から所望の電話番号を読み出したり、メモリ（図示せず）に所望の電話番号を書き込んだりすることはできない。
【００２８】
実施の形態１に係る携帯電話機１は以上のように構成されている。
従って、ユーザが操作部９を利用しなくてもメモ用シート部材１５に書き込まれた操作を補助する情報（電話番号や操作説明情報）を見ることができるので、外出先で電子的な電話帳データをＬＣＤ７に表示する方法がわからなくなったり、その他の機能を利用する方法がわからなくなったりした場合であっても、予め用意した情報を確認することができるため、その確認した情報に基づいて携帯型情報処理装置を動作させることが可能になる。
【００２９】
また、メモ用シート部材（書き込み部）１５が、携帯用外装筐体の本体部３と別部材で構成されているので、携帯用外装筐体を筆記具による書き込み易さよりも光沢等の美観を重視した材料する一方で、書き込み用領域は筆記具による書き込みやすさを重視した材料にすることができる。
【００３０】
また、メモ用シート部材（書き込み部）１５は、携帯用外装筐体の本体部３に対して移動可能に構成され、メモ用シート部材１５の移動に応じて、メモ用シート部材１５が携帯用外装筐体の本体部３に覆われるので、見栄えを劣化させるメモ用シート部材１５を隠すことができ、携帯電話機（携帯型情報処理端末）１の見栄えを維持することができる。また、メモ用シート部材１５を大きくしても、メモ用シート部材１５を本体部３で覆うことが可能であるため、携帯電話機（携帯型情報処理端末）の美観を維持することができる。  つまり、大きなメモ用シート部材１５を取り付けた携帯電話機（携帯型情報処理端末）１を美観を損ねずに提供することができる。
【００３１】
また、操作部９から出力された出力信号が第１種類（例えば第１の電話番号）の場合に第１の通信端末に発呼処理を行い、上記出力信号が第２種類（例えば上記第１の電話番号と異なる電話番号）の場合に第２の通信端末に発呼処理を行う発呼処理部であるとき、メモ用シート部材（書き込み部）１５を利用すれば、予め携帯電話機１に記憶させている電話帳データをＬＣＤ７に表示させる方法がわからなくなったとしても、外出先で発呼処理を行うことができるようになる。
【００３２】
また、携帯用外装筐体の本体部３の長手方向に沿ってメモ用シート部材（書き込み部）１５が引き出されるので、メモ用シート部材１５の引き出し動作が、他の方向に引き出す場合と比べて引き出しやすい。
【００３３】
また、メモ用シート部材１５は、移動につれてＬＣＤ（表示部）７に近づくので、メモ用シート部材１５に書き込まれた情報と、ＬＣＤに表示される情報とを対比することができるようになり、入力を確認しながら行うことができるようになる。例えば、操作部９の操作結果がＬＣＤ７に表示される内部動作を行う携帯電話機１の場合、メモ用シート部材１５に書き込まれた電話番号を見ながら、その電話番号の相手に向けて確実な発信を行うことができるようになる。
【００３４】
なお、実施の形態１においては、メモ用シート部材１５が剥がれないように構成して、メモ用シート部材１５の貼付を安定させるものであったが、メモ用シート部材１５と窪み部８との寸法に部分的に差を設けるように変更すれば、指では剥がしやすい構成になる。
【００３５】
実施の形態２．
図５は、実施の形態２に係る携帯型情報処理装置である携帯電話機１ａの構成を示す斜視図である。
【００３６】
携帯電話機１ａは、可動部材５ａが携帯用外装筐体の本体部３ａに対してスライド自在に係合すると共に、可動部材５ａが、テンキー１０を覆う位置に設けられている。また、可動部材５ａは、テンキー１０と対向する位置にメモ用シート部材（図示せず）が設けられている。
【００３７】
このような実施の形態２の携帯電話機１ａによっても、可動部材５ａをスライドさせることによって、予めメモ用シート部材１５に記入しておいた電話番号を見て携帯電話機１ａの操作をすることができるので、容易に利用できる携帯電話機を提供することができる。
【００３８】
実施の形態３．
図６及び７は、実施の形態３に係る携帯型情報処理装置である携帯電話機１ｂの構成を示す斜視図である。図６は、携帯電話機１ｂの書き込み部が覆われた状態を示し、図７は、携帯電話機１ｂの書き込み部が露出した状態を示す。
【００３９】
携帯電話機１ｂは、可動部材５ｂが携帯用外装筐体の本体部３ｂに対して回転自在に移動し、この回転による移動に応じて、可動部材５ｂに貼付されたメモ用シート部材１５ｂが露出したり覆われたりする。
【００４０】
このような携帯電話機１ｂであっても、予めメモ用シート部材１５に記入しておいた電話番号を見て携帯電話機１ｂを操作することができると共に、携帯電話機１ｂの美観を損ねないようにすることができる。
【００４１】
実施の形態４．
図８〜１０は、実施の形態４に係る携帯型情報処理装置である携帯電話機１ｃの構成を示す平面図である。
【００４２】
図８は、メモ用シート部材１５ｃを露出させた状態の携帯電話機１ｃを正面から眺めた様子を示す平面図である。
図９は、メモ用シート部材１５ｃが携帯用外装筐体の本体部３ｃに覆われている携帯電話機１ｃを背面から眺めた様子を示す図である。
図１０は、メモ用シート部材１５ｃが携帯用外装筐体の本体部３ｃのから露出している携帯電話機１ｃを背面から眺めた様子を示す図である。
携帯電話機１ｃの構成を図８〜１０に基づいて説明する。
携帯電話機１ｃは、携帯用外装筐体の本体部３ｃの背面に、可動部材５ｃが回転自在に係合している。また、可動部材５ｃが回転したときに、メモ用シート部材５ｃがＬＣＤ７に近づくように構成されているため、ＬＣＤ７に表示される情報と、メモ用シート部材１５ｃに記入されている情報とを照らし合わせながら、携帯電話記１ｃを操作することができる。特に、メモ用シート部材１５ｃに記入されている電話番号と、ＬＣＤ７に表示される入力した信号列との対比を行うことができるので、電話番号を間違いにくくなり、格段に電話がかけ易くなる。
【００４３】
実施の形態５．
図１１は、実施の形態５に係る携帯型情報処理装置である携帯電話機１ｄの構成を示す斜視図である。
【００４４】
図１２は、携帯電話機１ｄを背面から眺めた様子を示す平面図である。
【００４５】
携帯電話機１ｄの構成を図１１及び図１２に基づいて説明する。
【００４６】
携帯電話機１ｄは、携帯用外装筐体の本体部３ｄ内部に、板状の可動部材５ｄがスライド自在に収容されており、この可動部材５ｄの表面にメモ用シート部材１５ｄが貼付されている。また、下記可動部材５ｄには、引き出しを容易にする取っ手２９が設けられている。
【００４７】
このような構成にすると、実施の形態１などのように、外装用筐体３の外側に可動部材５をスライド自在に係合させる場合と比べて、薄型化を図ることができる。
【００４８】
実施の形態６．
図１３は、実施の形態６に係る携帯型情報処理装置である携帯電話機１ｅの構成を示す斜視図である。
【００４９】
図１４は、携帯電話機１ｅについて、携帯用外装筐体の本体部３ｅからメモ用シート部材１５ｅが引き出された状態を示す斜視図である。
【００５０】
携帯電話機１ｅは、携帯用外装筐体の本体部３ｅ内部に、筒状に丸められたメモ用シート部材１５ｅが格納されている。このメモ用シート部材１５ｅの端部には、取っ手２９ｅが取り付けられており、引き出しを容易にしている。
【００５１】
このような構成の場合、メモ用シート部材１５ｅを貼り付けるための可動部材などが不要になるため、携帯電話機１ｅの小型化を促進することができる。
【００５２】
実施の形態７．
図１５は、実施の形態７に係る携帯型情報処理装置である携帯電話機１ｆの構成を示す斜視図である。
【００５３】
図１６は、携帯電話機１ｆの構成を背面から示す平面図である。
【００５４】
携帯電話機１ｆは、携帯用外装筐体の本体部３ｆに対してスライド自在に係合する可動部材５ｆを備えており、この可動部材５ｆは、携帯用外装筐体の本体部３ｆに設けられたストラップ取り付け用溝に取り付けられる取り付け部３１と、この取り付け部３１と可動部材５ｆとを連結する弾性部材３３を備えている。なお、携帯用外装筐体の本体部３ｆから可動部材５ｆが引き出された場合、弾性部材３３の復元力によって携帯用外装筐体の本体部３ｆに重なる位置に可動部材５ｆが移動しないように、携帯用外装筐体の本体部３ｆと可動部材５ｆとは各々設けられた嵌合部が互いに嵌りあい、可動部材５ｆが、携帯用外装筐体の本体部３ｆから露出した位置に配置される。
【００５５】
以上の構成により、携帯電話機１ｆは、可動部材５ｆが携帯用外装筐体の本体部３ｆから分離して落下することを防止することができる。また、弾性部材３３を用いて書き込みよう部材５ｆと携帯用外装筐体の本体部３ｆとを連結しているので、弾性部材３３を携帯用外装筐体の本体部３から垂れ下がらないようになっており、美観向上に寄与する。
【００５６】
実施の形態８．
図１７は、実施の形態８に係る携帯型情報処理装置である携帯電話機１ｇの構成を、背面から示す平面図である。
【００５７】
図１８は、携帯電話機１ｇの構成を示す斜視図である。
【００５８】
携帯電話機１ｇは、表面にメモ用シート部材１５ｇが貼付された可動部材５ｇが、携帯用外装筐体の本体部３ｇの上部から引き出される構成になっている。
【００５９】
このような構成によると、ＬＣＤ７に表示される画像と、メモ用シート部材１５ｇに記載された情報との対比が容易になる。
【図面の簡単な説明】
【００６０】
【図１】本願発明に係る実施の形態１の携帯電話機の第１状態を示す斜視図である。
【図２】本願発明に係る実施の形態１の携帯電話機の第２状態を示す斜視図である。
【図３】本願発明に係る実施の形態１の携帯電話機の構成を示す断面図である。
【図４】本願発明に係る実施の形態１の携帯電話機の内部動作を説明するブロック図である。
【図５】本願発明に係る実施の形態２の携帯電話機の構成を示す斜視図である。
【図６】本願発明に係る実施の形態３の携帯電話機の第１状態を示す斜視図である。
【図７】本願発明に係る実施の形態３の携帯電話機の第２状態を示す斜視図である。
【図８】本願発明に係る実施の形態４の携帯電話機の第１状態を正面から示す平面図である。
【図９】本願発明に係る実施の形態４の携帯電話機の第２状態を示す平面図である。
【図１０】本願発明に係る実施の形態４の携帯電話機の第１状態を背面から示す平面図である。
【図１１】本願発明に係る実施の形態５の携帯電話機の構成を示す斜視図である。
【図１２】本願発明に係る実施の形態５の携帯電話機の構成を平面図である。
【図１３】本願発明に係る実施の形態６の携帯電話機の第１状態のの構成を示す斜視図である。
【図１４】本願発明に係る実施の形態６の携帯電話機の第２状態の構成を示す斜視図である。
【図１５】本願発明に係る実施の形態７の携帯電話機の第１状態を示す斜視図である。
【図１６】本願発明に係る実施の形態７の携帯電話機の第２状態を背面から示す平面図である。
【図１７】本願発明に係る実施の形態７の携帯電話機の第１状態を背面から示す平面図である。
【図１８】本願発明に係る実施の形態８の携帯電話機の第２状態を背面から示す平面図である。
【符号の説明】
【００６１】
１：携帯電話機、３：本体部、４：係合用溝、５；可動部材、６；係合用突出部、７：ＬＣＤ、８；窪み部、９：操作部、１０テンキー、１１：スイッチ素子、１２：キーラバー、１３：カーソル移動用キー、１４：機能キー、１５、１５ｂ、１５ｃ、１５ｄ、１５ｅ、１５ｆ、１５ｇ：メモ用シート部材、１９：プリント配線板、２３：主制御部、２５：発呼処理部、２７、２７ａ：板状部材、２９：取っ手
以上
【図１】
2007103993.tif 000003
【図２】
2007103993.tif 000004
【図３】
2007103993.tif 000005
【図４】
2007103993.tif 000006
【図５】
2007103993.tif 000007
【図６】
2007103993.tif 000008
【図７】
2007103993.tif 000009
【図８】
2007103993.tif 000010
【図９】
2007103993.tif 000011
【図１０】
2007103993.tif 000012
【図１１】
2007103993.tif 000013
【図１２】
2007103993.tif 000014
【図１３】
2007103993.tif 000015
【図１４】
2007103993.tif 000016
【図１５】
2007103993.tif 000017
【図１６】
2007103993.tif 000018
【図１７】
2007103993.tif 000019
【図１８】
2007103993.tif 000020